(57)【特許請求の範囲】
【請求項１】
第１の端末からの通信要求に応じて当該第１の端末と予め登録された他の端末との通信接続確立用の中継通信を行う通信中継装置を備えた通信機器接続システムであって、
前記第１の端末は、
前記他の端末から出力された識別情報を捕捉しこの識別情報に基づき通信相手としての前記他の端末を特定すると共に前記捕捉した識別情報を含む通信相手指定要求を前記通信中継装置に通知する識別情報捕捉通知部を有し、
前記通信中継装置は、
前記第１の端末から前記通信要求が送り込まれた場合に前記他の端末それぞれに対して識別情報の出力要求を行う識別情報出力要求部と、
前記第１の端末から送り込まれた前記通信相手指定要求に基づき前記通信相手として特定された他の端末に対して通信開始要求を送信する通信開始要求送信部とを備え、
前記各他の端末は、
前記通信中継装置からの出力要求に応じて自己の識別情報を出力する識別情報出力部と、
前記通信中継装置から前記通信開始要求送り込まれた場合に当該通信許容要求に基づき前記第１の端末との通信接続を確立する通信接続処理部とを備えたことを特徴とする通信機器接続システム。
【請求項２】
請求項１に記載の通信機器接続システムにおいて、
前記通信中継装置は、
前記他の端末それぞれに対応した前記識別情報としてのＩＤ情報を生成すると共に当該ＩＤ情報を前記出力要求として前記各他の端末に送信するＩＤ情報生成送信手段を備え、
前記各他の端末は、
前記通信中継装置から送信されたＩＤ情報を前記識別情報として出力する指定ＩＤ情報出力手段を備えたことを特徴とする通信機器接続システム。
【請求項３】
請求項１又は２に記載の通信機器接続システムにおいて、
前記各他の端末は、前記識別情報を表示画面に表示することにより出力する前記識別情報出力部としての識別情報表示手段を備え、
前記第１の端末は、前記表示された識別情報を撮影する識別情報撮影部を備えたことを特徴とする通信機器接続システム。
【請求項４】
請求項１又は２に記載の通信機器接続システムにおいて、
前記各他の端末は、前記識別情報を音声として出力する前記識別情報出力部としての識別情報音声出力手段を備え、
前記第１の端末は、前記各他の端末から出力された音声を収音する識別情報収音部を備えたことを特徴とする通信機器接続システム。
【請求項５】
請求項２に記載の通信機器接続システムにおいて、
ＩＤ情報生成送信手段は、前記第１の端末からの通信要求毎に前記ＩＤ情報を更新して生成するＩＤ情報更新機能を備えたこと特徴とした通信機器接続システム。
【請求項６】
第１の端末からの通信要求に応じて当該第１の端末と予め登録された他の端末に対して通信接続確立用の中継通信を行う通信中継装置を備えた通信機器接続システムにあって、前記第１の端末および他の端末間における相互通信接続を確立する通信機器接続方法において、
前記第１の端末から前記通信要求が送り込まれた場合に、前記通信中継装置が前記他の端末それぞれに対して識別情報の出力要求を行い、
前記各他の端末は、前記出力要求に応じて自己の識別情報を出力し、
前記第１の端末は、前記相手端末から出力された識別情報を捕捉し、この識別情報に基づき通信相手としての前記他の端末を特定すると共に、前記捕捉した識別情報を含む通信相手指定要求を前記通信中継装置に通知し、
前記前記通信中継装置は、前記第１の端末から送り込まれた前記通信相手指定要求に基づき前記通信相手として特定された前記他の端末に対して通信開始要求を送信し、
前記他の端末は、前記通信開始要求に含まれる通信用情報に基づき前記第１の端末との通信接続を確立することを特徴とした通信機器接続方法。
【請求項７】
第１の端末からの通信要求に応じて当該第１の端末と予め登録された他の端末との通信接続確立用の中継通信を行う通信中継装置を備えた通信機器接続システムにあって、前記第１の端末および前記他の端末相互間における通信接続を確立するための通信機器接続プログラムにおいて、
前記第１の端末から前記通信要求が送り込まれた場合に前記他の端末それぞれに対して出力要求を送信することにより前記各他の端末における識別情報の出力を要求する識別情報出力要求機能と、
前記各他の端末が出力した前記識別情報を含む通信相手指定要求が前記第１の端末から通知された場合に、前記通信相手指定要求に基づき通信相手として特定された前記他の端末に対して前記第１の端末との通信接続の確立に必要な通信用情報を含む通信開始要求を送信する通信開始要求機能と、
を前記通信中継装置のコンピュータに実現させることを特徴とした通信機器接続プログラム。
【発明の詳細な説明】
【技術分野】
【０００１】
本発明は、異なる無線通信機器間における無線通信の接続制御を行う通信接続確立システムに関する。
【背景技術】
【０００２】
ユーザがリモコン機器等を利用して、ある特定の装置をリモコン操作している場合に、上記利用中のリモコン機器を利用して他の装置をリモコン操作したい場合や、若しくは他の装置との通信を開始したいといった場合には、一般に、ユーザのリモコン機器側では、上記他の装置のＩＰアドレスやホスト名等の装置固有の識別子を予め把握している必要があり、この識別子に基づき他の装置に対して通信の開始要求を出し、これにより、リモコン操作中の装置または他の装置に対するリモコン操作や通信接続の切替えを行うことが可能となる。
【０００３】
しかしながら、通信相手装置の識別子を予め把握し管理することは利用者にとって煩わしいことであり、更には、利用中のリモコン機器などの通信機器に対して、識別子を入力する作業は大変手間がかかり、操作ミスや設定ミスなどが生じ得るため、例えば、通信技術に係る知識が豊富なユーザにとっても大変煩わしく、通信設定作業に膨大な手間や時間がかかってしまうといった不都合がある。
【０００４】
これに対して、ユーザがリモコン等を用いて特定の機器に対しＩＤ表示を促すと共に、その機器がＩＤコード（例えば、ＱＲコード等の二次元コードであるものとする）を表示した場合に、表示されたこのＩＤコードを利用者がビデオカメラ等により撮影し、この撮影したＩＤコードを解釈することで、ＭＡＣアドレス等の接続相手との通信に必要な機器固有情報を取得すると共に、この機器固有情報を用いて対象機器と通信をする通信機器を備えた通信システムが開示されている（特許文献１）。
【０００５】
これに対する関連技術として、外部モニタを備えた自動演奏ピアノが、当該自動演奏ピアノに対応した２次元コードを表示し、携帯端末が、この２次元コードを撮影して得られた２次元コード画像をデコードして、この２次元コード画像に埋め込まれたＷｅｂサイトアドレスとＩＤ情報を取得するシステムが開示されている（特許文献２）。
【０００６】
また、これに対する関連技術として、携帯電話から特定の通信端末に対する通信内容を監視する接続管理装置を備え、この接続管理装置が、携帯電話から通信端末へのサービス開始の要求が初回のものか、２回目以降のものかを判定することにより、携帯電話からのなりすまし接続を抑制するシステムが開示されている（特許文献３）。
【０００７】
更に、この関連技術として、通信可能な機器として予め登録された通信機器（ＰＣ，テレビ，携帯端末）を示す情報を選択可能状態に表示する通信機器表示装置と、操作キーを利用して上記通信機器を所望の通信機器の選択を行う携帯端末を備えたシステムが開示されている（特許文献４）。
【先行技術文献】
【特許文献】
【０００８】
【特許文献１】特開２００６−１３５９３０号公報
【特許文献２】特開２００７−０２５４４７号公報
【特許文献３】特開２００７−１７４５３６号公報
【特許文献４】特開２０１０−１３６２３８号公報
【発明の概要】
【発明が解決しようとする課題】
【０００９】
しかしながら、上記特許文献１〜４に記載の関連技術を組み合わせた内容では、例えば、異なる複数の通信機器が近接して設置され、通信相手としての特定の通信機器をリモートコントロールにより選択する場合に、特定の通信機器に対してＩＤコードの表示要求を行うことや、意図した通信機器を指定するとことが困難であり、この場合、所望の通信機器に近接して設置された、他の通信機器を選択してしまったり、誤って無線通信が確立されてしまったりする不都合が生じ得る。
更には、その機器に対して、誰でもがＩＤ表示と通信接続を確立することが可能であるため、セキュリティを確保することができないといった不都合がある。
【００１０】
［発明の目的］
本発明は、上記関連技術の有する不都合を改善し、異なる複数の無線通信機器から特定の無線通信機器を無線通信接続の確立用に確実に選択し得る通信機器接続システム、通信機器接続方法、および通信機器接続プログラムを提供することを、その目的とする。
【課題を解決するための手段】
【００１１】
上記目的を達成するため、本発明に係る備えた構成を有する。
【００１２】
本発明に係る通信機器接続システムは、第１の端末からの通信要求に応じて当該第１の端末と予め登録された他の端末との通信接続確立用の中継通信を行う通信中継装置を備えた通信機器接続システムであって、前記第１の端末は、前記他の端末から出力された識別情報を捕捉しこの識別情報に基づき通信相手としての前記他の端末を特定すると共に前記捕捉した識別情報を含む通信相手指定要求を前記通信中継装置に通知する識別情報捕捉通知部を有し、前記通信中継装置は、前記第１の端末から前記通信要求が送り込まれた場合に前記他の端末それぞれに対して識別情報の出力要求を行う識別情報出力要求部と、前記第１の端末から送り込まれた前記通信相手指定要求に基づき前記通信相手として特定された他の端末に対して通信開始要求を送信する通信開始要求送信部とを備え、前記各他の端末は、前記通信中継装置からの出力要求に応じて自己の識別情報を出力する識別情報出力部と、前記通信中継装置から前記通信開始要求送り込まれた場合に当該通信許容要求に基づき前記第１の端末との通信接続を確立する通信接続処理部とを備えたことを特徴としている。
【００１３】
また、本発明に係る通信機器接続方法は、第１の端末からの通信要求に応じて当該第１の端末と予め登録された他の端末に対して通信接続確立用の中継通信を行う通信中継装置を備えた通信機器接続システムにあって、前記第１の端末および他の端末間における相互通信接続を確立する通信機器接続方法において、前記第１の端末から前記通信要求が送り込まれた場合に、前記通信中継装置が前記他の端末それぞれに対して識別情報の出力要求を行い、前記各他の端末は、前記出力要求に応じて自己の識別情報を出力し、前記第１の端末は、前記相手端末から出力された識別情報を捕捉し、この識別情報に基づき通信相手としての前記他の端末を特定すると共に、前記捕捉した識別情報を含む通信相手指定要求を前記通信中継装置に通知し、前記前記通信中継装置は、前記第１の端末から送り込まれた前記通信相手指定要求に基づき前記通信相手として特定された前記他の端末に対して通信開始要求を送信し、前記他の端末は、前記通信開始要求に含まれる通信用情報に基づき前記第１の端末との通信接続を確立することを特徴としている。
【００１４】
また、本発明に係る通信機器接続プログラムは、第１の端末からの通信要求に応じて当該第１の端末と予め登録された他の端末との通信接続確立用の中継通信を行う通信中継装置を備えた通信機器接続システムにあって、前記第１の端末および前記他の端末相互間における通信接続を確立するための通信機器接続プログラムにおいて、前記第１の端末から前記通信要求が送り込まれた場合に前記他の端末それぞれに対して出力要求を送信することにより前記各他の端末における識別情報の出力を要求する識別情報出力要求機能と、前記各他の端末が出力した前記識別情報を含む通信相手指定要求が前記第１の端末から通知された場合に、前記通信相手指定要求に基づき通信相手として特定された前記他の端末に対して前記第１の端末との通信接続の確立に必要な通信用情報を含む通信開始要求を送信する通信開始要求機能とを前記通信中継装置のコンピュータに実現させることを特徴としている。
【発明の効果】
【００１５】
本発明は、上述したように、第１の端末から通信要求が送り込まれた場合に、異なる他の端末それぞれに対応した識別情報としてのＩＤ情報を各他の端末に送信する機能と、識別情報を捕捉した第１の端末から通信相手指定要求が通知された場合に、この通信相手指定要求に基づき特定された他の端末に対して第１の端末との通信接続を確立するために必要な情報を送信する機能を備えた構成としたことにより、異なる複数の無線通信機器から特定の無線通信機器を無線通信接続の確立用に確実に選択することを可能とする通信機器接続システム、通信機器接続方法、および通信機器接続プログラムを提供することができる。
【図面の簡単な説明】
【００１６】
【図１】本発明の実施形態に係る通信機器接続システムの一実施形態を示す概略ブロック図である。
【図２】図１で示した通信機器接続システムにおける全体的な動作処理ステップを示すフローチャートである。
【図３】本発明の実施形態に係る通信機器接続システムの一実施形態を示す概略ブロック図である。
【図４】図３で示した通信機器接続システムにおける全体的な動作処理ステップを示すフローチャートである。
【図５】図３で示した通信機器接続システムにおける予め通信接続の確立が許容された端末の対応を示す接続対応リストの一例を示す説明図である。
【図６】図３で示した通信機器接続システムにおけるネットワークテレビ端末に表示された二次元コードの一例を示す説明図である。説明図である。
【発明を実施するための形態】
【００１７】
［実施形態１］
次に、本発明を実施するための実施形態１について図面を参照して説明する。
実施形態１としての通信機器接続システムは、図１に示すように、通信端末としての第一の端末（第１の端末）１０１と、この第一の端末１０１からの通信要求を取得し、この通信要求に応じて第一の端末１０１と通信相手（相手端末）として予め登録された相手端末（他の端末１０３）との相互通信の確立を制御する接続管理手段（通信中継装置）１０２を備えた構成を有する。
尚、接続管理手段１０２は、ＣＰＵ，メモリ，および２次記憶装置を備え、予め設定されたプログラムに基づく動作処理を行う一般的なコンピュータであるものとする。
【００１８】
以下、これを詳説する。
【００１９】
第一の端末１０１は、ユーザからの入力を受け付ける入力手段を備えている。
これにより、第一の端末１０１では、ユーザが第一の端末１０１を利用して通信接続を行いたい相手端末（他の端末１０３）がある場合に、第一の端末１０１に対して、他の端末１０３によるＩＤ通知を要求するための入力操作（ＩＤ通知要求操作）が行われる。また、上記入力操作としては、ユーザによる特定のキー対する押下操作を示すものとする。
【００２０】
また、第一の端末１０１は、ネットワーク回線（ネットワーク）１０４を介して接続管理手段１０２に接続され、ユーザからの入力操作（ＩＤ通知要求操作）に応じて、特定の端末（相手端末）との通信を要求するメッセージである通信要求を接続管理手段１０２に通知する通信要求通知機能を備えている。ここで、上記通信要求には、特定の相手端末を示す情報が含まれているものとする。
尚、上記ネットワーク回線１０４は、無線通信回線であってもよい。
【００２１】
更に、第一の端末１０１は、相手端末（例えば、他の端末１０３）から出力された識別情報（固有ＩＤ）を捕捉する識別情報捕捉機能と、捕捉した識別情報を解析することにより、識別情報に含まれる相手端末（他の端末１０３）の固有ＩＤを特定する固有ＩＤ取得機能を備えている。
【００２２】
更に、第一の端末１０１は、取得した固有ＩＤに対応する相手端末（例えば、他の端末１０３）との通信許可を要求するメッセージとしての通信許容要求を生成し、これを通信管理手段１０２に対して通知する通信許容要求通知機能を備えている（以上、識別情報捕捉通知部に対応）。
ここで、通信許容要求には上記捕捉した識別情報（固有ＩＤ）が含まれるものとする。
【００２３】
接続管理手段１０２は、特定の端末（ここでは、第一の端末に対応）との通信接続が許容される端末（他の端末に対応）がリスト化された、端末対応データリスト（以下、「データリスト」という）を記憶保持するデータ記憶部を備えている。
また、接続管理手段１０２は、第一の端末１０１から通信要求を受信した場合に、端末対応データリストに基づき、第一の端末１０１との接続が許容された他の端末を特定し（端末特定機能）、第一の端末１０１との接続が許容された全ての相手端末（他の端末１０３）それぞれに対して、各相手端末固有に設定された固有ＩＤの出力を要求するメッセージとしてのＩＤ出力要求を通知する出力要求通知機能（識別情報出力要求部）を備えている。
【００２４】
ここで、接続管理手段１０２は、データリストに記載された異なる相手端末（他の端末１０３を含む）それぞれにおける、自己ＩＤの出力データ形式に応じた固有ＩＤ出力要求を生成し、送信する。
例えば、第一の端末１０１からのＩＤ出力要求の要求先の相手端末におけるＩＤ出力手段（１０３−１）が音声出力を行うスピーカ手段である場合に、接続管理手段１０２は、固有ＩＤ出力要求としての音声信号情報を生成し、対応する相手端末に送信する。
【００２５】
また、接続管理手段１０２は、第一の端末１０１から固有ＩＤが送り込まれた場合に、この固有ＩＤが他の端末１０３に割り当てたものであるか否かを判別する。
ここで、接続管理手段１０２は、通知された固有ＩＤが他の端末１０３に割当てた固有ＩＤと一致すると判定した場合に、他の端末１０３に対して、第一の端末１０１との接続許可を要求するメッセージ（接続許可要求）と接続の確立に必要な情報を示す接続情報を通知する（接続許可要求通知機能）。
【００２６】
相手端末としての他の端末１０３は、接続管理手段１０２から固有ＩＤ出力要求が通知された場合に、予め設定された固有ＩＤの出力を行うＩＤ出力手段１０３−１を備えている。
例えば、他の端末１０３は、特定の音声を示すデジタル信号（音声信号情報）をＤ／Ａ変換して音声として出力するＩＤ出力手段１０３−１としてのスピーカ手段（１０３−１）を備えた構成であるものとする。
このとき、他の端末１０３は、固有ＩＤ出力要求として接続管理手段１０２から送り込まれた音声信号情報をスピーカ手段１０３−１から音声として出力する。
【００２７】
また、このとき、第一の端末１０１は、上記スピーカ手段１０３−１から出力された音声を収音する出力信号取得手段１０１−１としてのマイク手段（１０１−１）を予め備えた構成であるものとする。
これにより、第一の端末１０１は、スピーカ手段１０３−１から出力された音声（音波）をマイク手段１０１−１により収音し、この音声を解析することにより他の端末１０３のＩＤを特定し、これを取得する。
【００２８】
尚、上記ＩＤ出力手段１０３−１は、赤外線やＢｌｕｅｔｏｏｔｈ（登録商標）、無線ＬＡＮ（ローカル・エリア・ネットワーク）、Ｗ−ＣＤＭＡ等を利用して無線信号の出力を行う無線信号出力手段（１０３−１）であってもよい。
このとき、第一の端末１０１のＩＤ取得手段１０１−１は、ＩＤ出力手段１０３−１から送信された無線通信信号を受信する無線信号受信手段（１０１−１）であるものとする。
これにより、第一の端末１０１は、ＩＤ出力手段から無線送信された、他の端末１０３の固有ＩＤを含む無線信号（無線通信電波）を受信し、これを解析することでＩＤを取得する。
【００２９】
更に、上記ＩＤ出力手段１０３−１は、送り込まれた画像情報や映像情報などの予め設けられたディスプレイに対して出力表示するディスプレイ手段（１０３−１）であってもよい。
この場合、第一の端末１０１に備えられたＩＤ取得手段１０１−１は、ディスプレイ手段１０３−１に表示された、他の端末１０３の固有ＩＤを撮影するカメラを有するカメラ手段（１０１−１）であるものとする（実施形態２）。
これにより、第一の端末１０１は、ＩＤ出力手段１０３−１により出力表示された他の端末１０３の固有ＩＤを含む画像情報を撮影し、この撮影画像解析することでＩＤを取得することができる。
【００３０】
また、他の端末１０３は、接続管理手段１０２から接続許可要求および接続情報を受信した場合に、この接続情報に基づき第一の端末１０１との通信接続を確立する通信接続確立制御機能を有する。
これにより、第一の端末１０１と他の端末１０３との間で直接通信を行うことが可能となる。
【００３１】
［実施形態１の動作説明］
まず、第一の端末１０１から通信要求が送り込まれた場合に、接続管理手段１０２は、予め登録された他の端末１０３に対して識別情報（固有ＩＤ）の出力要求を行い（識別情報出力要求工程）、他の端末１０３は、この出力要求（ＩＤ出力要求）に応じて自己の識別情報（固有ＩＤ）の出力（例えば、音声出力）を行う。
【００３２】
次に、第一の端末１０１は、他の端末１０３から出力された識別情報を捕捉し（例えば、音声の収音）、この識別情報を解析することにより通信相手としての他の端末１０３を特定し、捕捉した識別情報を含む通信相手指定要求を接続管理手段１０２に通知する（端末特定情報通知工程）。
【００３３】
次いで、接続管理手段１０２は、第一の端末１０１から送り込まれた通信相手指定要求に基づき、通信相手として特定された他の端末１０３に対して通信開始要求を送信し（通信接続確立要求工程）、この通信開始要求が送り込まれた場合に、他の端末１０３は、上記通信要求の内容に基づき、第一の端末１０１との通信接続を確立する。
【００３４】
次に、本実施形態２の動作について図４のフローチャートに基づき詳説する。
まず、第一の端末１０１は、ユーザからの入力待機状態にあるものとする（開始：ステップＳ２０１）。
【００３５】
ここで、通信接続を行いたい他の端末１０３がある場合に、ユーザが第一の端末１０１に対して、他の端末１０３によるＩＤ通知を要求するための入力操作（ＩＤ通知要求操作）が行われる（Ｓ２０２）。
尚、このとき、第一の端末１０１は、後述するように、他の端末１０３により出力されたＩＤが取得可能な範囲にある（位置する）ものとする。
また、上記入力操作としては、ユーザによる特定のキー対する押下操作を示すものとする。
【００３６】
第一の端末１０１は、ユーザからの入力操作（ＩＤ通知要求操作）に応じて、ＩＤの出力を要求するメッセージ（ＩＤ出力要求）を生成し、このメッセージを接続管理手段１０２に対して送信する（ステップＳ２０３：ＩＤ通知要求を通知）。
【００３７】
尚、接続管理手段１０２に予め設定されたデータ記憶部には、特定の端末（第一の端末に対応）からＩＤ出力要求が送り込まれた場合に、これに対して通信接続が許容される端末（他の端末に対応）がリスト化された、端末対応データリスト（以下、「データリスト」という）が予め記憶されているものとする。
【００３８】
次いで、ＩＤ出力要求を受信した接続管理手段１０２は、上記データリストに基づき、第一の端末１０１との接続が許容された他の端末を判断し、これに該当する全ての各他の端末（ここでは、他の端末１０３が該当しているものとする）に対して、各他の端末固有に設定した固有ＩＤ出力要求を通知する（ステップＳ２０４）。
尚、上記固有ＩＤ出力要求は、他の端末それぞれにおける自己ＩＤの出力形式に応じて接続管理手段１０２で生成され、他の端末１０３にＩＤ表示要求と共に通知されるものとする。
【００３９】
次いで、ＩＤ出力要求を受信した他の端末１０３は、予め備えたＩＤ出力手段１０３−１を用いて、当該他の端末１０３に予め設定されたＩＤの出力を行い（ステップＳ２０５）、第一の端末１０１は、出力された固有ＩＤが含まれる情報を取得し、これを解析することにより、他の端末１０３のＩＤを取得する（ステップＳ２０６）。
【００４０】
ここで、他の端末１０３は、上述のように、特定の音声を示すデジタル信号（音声信号情報）をＤ／Ａ変換して音声として出力するＩＤ出力手段１０３−１としてのスピーカ手段（１０３−１）を備えた構成であるものとする。
また、第一の端末１０１は、上記スピーカ手段１０３−１から出力された音声を収音する出力信号取得手段１０１−１としてのマイク手段（１０１−１）を備えた構成であるものとする。
【００４１】
このため、上記ステップＳ２０５において、他の端末１０３は、固有ＩＤ出力要求として接続管理手段１０２から送り込まれた音声信号情報をスピーカ手段１０３−１から音声として出力し（音声出力：ステップＳ２０５）、第一の端末１０１は、スピーカ手段１０３−１から出力された音声（音波）をマイク手段１０１−１により収音し、この音声を解析することにより他の端末１０３のＩＤを特定し、これを取得する（ステップＳ２０６）。
【００４２】
尚、上記ＩＤ出力手段１０３−１は、赤外線やＢｌｕｅｔｏｏｔｈ（登録商標）、無線ＬＡＮ（ローカル・エリア・ネットワーク）、Ｗ−ＣＤＭＡ等を利用して無線信号の出力を行う無線信号出力手段（１０３−１）であってもよい。
この場合、第一の端末１０１に備えられたＩＤ取得手段１０１−１は、ＩＤ出力手段１０３−１から送信された無線通信信号を受信する無線信号受信手段（１０１−１）であるものとする。
これにより、第一の端末１０１は、ＩＤ出力手段から無線送信された、他の端末１０３の固有ＩＤを含む無線信号（無線通信電波）を受信し、これを解析することでＩＤを取得する。
【００４３】
更に、上記ＩＤ出力手段１０３−１は、送り込まれた画像情報や映像情報などの予め設けられたディスプレイに対して出力表示するディスプレイ手段（１０３−１）であってもよい。
この場合、第一の端末１０１に備えられたＩＤ取得手段１０１−１は、ディスプレイ手段１０３−１に表示された、他の端末１０３の固有ＩＤを撮影するカメラを有するカメラ手段（１０１−１）であるものとする（実施形態２）。
これにより、第一の端末１０１は、ＩＤ出力手段１０３−１により出力表示された他の端末１０３の固有ＩＤを含む画像情報を撮影し、この撮影画像解析することでＩＤを取得することができる。
【００４４】
次いで、第一の端末１０１は、取得した他の端末１０３の固有ＩＤを、接続管理手段１０２に対して通知し（Ｓ２０７）、接続管理手段１０２は、第一の端末１０１から通知された固有ＩＤが割りあてられた端末（他の端末）であるかを判別すると共に、この固有ＩＤを割り当てた端末（ここでは他の端末１０３）に対して、第一の端末１０１との接続許可を要求するメッセージ（接続許可要求）と
接続の確立に必要な情報（例えば、ＩＰアドレスやポート番号）を示す接続情報を通知する（Ｓ２０８）。
【００４５】
接続許可要求を受信した他の端末１０３は、同時に受信した接続情報に基づき、第一の端末と通信接続を確立する（Ｓ２０９）。
これにより、第一の端末１０１と他の端末１０３との間で直接通信を行うことが可能となる（Ｓ２１０）。
【００４６】
尚、上記フローにおいて、ステップＳ２０８における第一の端末１０１の接続情報は、あらかじめ接続管理手段１０２に登録されていた情報であってもよい。また、ステップＳ２０７において、第一の端末１０１から固有のＩＤと共に受信する設定であってもよい。
【００４７】
以上のように、本実施形態１では、例えば、異なる複数の相手端末（他の端末に対応）が隣接して設置されていた場合にも、利用者は、第一の端末を利用して、特定のディスプレイ装置から出力された固有ＩＤ（二次元コード）を確実に捕捉することができ、これにより、所望の相手端末（他の端末）を特定し、この他の端末および第一の端末間における相互通信を、安全且つ確実に開始することができる。
【００４８】
［実施形態２］
次に、本発明を実施するための実施形態２について、説明する。
実施形態１としての通信機器接続システムは、図３に示すように、撮影用カメラを備えた通信端末であるカメラ付き携帯電話端末（第１の端末）３０１と、このカメラ付き携帯電話端末３０１から送り込まれた通信要求に応じて、カメラ付き携帯電話端末３０１と通信相手として予め登録された相手端末（ネットワークテレビ端末３０３、またはパーソナルコンピュータ３０４）との相互通信の確立を制御する接続管理サーバ（通信中継装置）３０２を備えた構成を有する。
ここで、上記通信要求は、携帯電話網３０５、インターネット網３０６を介して接続管理サーバ３０２に送信される。
【００４９】
また、相手端末（ネットワークテレビ端末３０３、またはパーソナルコンピュータ３０４）とカメラつき携帯電話端末３０１との相互通信は、上記携帯電話網３０５およびインターネット網３０５を介することなく、上記カメラつき携帯電話端末３０１および相手端末相互間で直接確立されるものとする。
尚、接続管理サーバ３０２は、ＣＰＵ，メモリ，および２次記憶装置を備え、予め設定されたプログラムに基づく動作処理を行う一般的なコンピュータであるものとする。
【００５０】
以下、これを詳説する。
カメラ付き携帯電話端末３０１は、ユーザからの入力待機状態に設定される。
ここで、通信接続を行いたい相手端末（例えば、ネットワークテレビ端末３０３）がある場合に、ユーザからカメラ付き携帯電話端末３０１に対して、通信要求を行うための入力操作（ＩＤ通知要求操作）が行われる。
【００５１】
尚、カメラ付き携帯電話端末３０１は、相手端末により出力表示された固有ＩＤが撮影取得可能な範囲内に位置するものとする。
また、上記カメラ付き携帯電話端末３０１に対するユーザの入力操作としては、ユーザによる特定のキー対する押下操作を示すものとする。
【００５２】
更に、カメラ付き携帯電話端末３０１は、ユーザからの入力操作に応じて、特定の端末（相手端末：ここでは、ネットワークテレビ端末３０３、またはパーソナルコンピュータ３０４）との通信を要求するメッセージである通信要求を、接続管理サーバ３０２に対して通知する通信要求通知機能を備えている。ここで、上記通信要求には、特定の相手端末を示す情報が含まれているものとする。
【００５３】
更に、カメラ付き携帯電話端末３０１は、相手端末で出力表示された、識別情報（固有ＩＤ）を含む二次元コードをカメラ撮影することにより捕捉し（識別情報捕捉機能：カメラ）、撮影画像を解析することにより、撮影画像内の二次元コードに含まれる相手端末（ここでは、ネットワークテレビ端末３０３）の固有ＩＤを特定（取得）する固有ＩＤ解析部３０１−１を備えている。
【００５４】
更に、カメラ付き携帯電話端末３０１は、上記取得した相手端末の固有ＩＤを、接続管理手段１０２に対して通知する取得ＩＤ通知機能を有する。
【００５５】
接続管理サーバ３０２は、特定の端末（ここでは、カメラ付き携帯電話端末３０１）との通信接続が許容される端末（ネットワークテレビ端末３０３、またはパーソナルコンピュータ３０４に対応）が、リスト化された端末対応リスト（以下、「データリスト」という）を記憶保持するデータ記憶部を備えている（図５）。
【００５６】
上記データリストの一例を図５に示す。
ここで、例えば、データリストにおける「ＩＤ２００７」という要求端末識別子が割当てられた端末（要求端末：カメラ付き携帯電話端末に対応）は、「ＩＤ５００１」と「ＩＤ３１２３」の接続許可端末識別子が割当てられた各端末に対して接続することが許容されていることを示す。
ここでは、例えば、要求端末「ＩＤ２００７」はカメラ付き携帯電話３０１の識別子であり、接続許可端末「ＩＤ５００１」はネットワークテレビ３０３、接続許可端末「ＩＤ３１２３」はパーソナルコンピュータ３０４をそれぞれ示すものとする。
【００５７】
また、各表示用ＩＤは、「９６０Ａ２３９１ＤＤ」接続許可端末「ＩＤ５００１」に対して割り当てられた固有の表示用ＩＤを示す。例えば、表示用ＩＤ「９６０Ａ２３９１ＤＤ」は接続許可端末「ＩＤ５００１」に、表示用ＩＤ「１３０５４９ＡＹＴＱ」は接続許可端末「ＩＤ３１２３」に対してそれぞれ割当てられた固有の表示用ＩＤ（固有ＩＤ）を示す。
尚、表示用ＩＤ（ＩＤ情報に対応）は、このリストの生成時に静的に割り当てられたものであってもよい。また、表示用ＩＤは、接続許可端末に二次元コード表示要求を通知する前に動的に生成される、つまり、接続管理サーバ３０２が、例えば、カメラ付き携帯電話端末３０１から通信要求が送り込まれるごとに表示用ＩＤを更新生成する（ＩＤ情報生成送信手段を備えた）設定であってもよい。
【００５８】
更に、接続管理サーバ３０２は、カメラ付き携帯電話端末３０１から送り込まれたＩＤ出力要求を受信した場合に、データリストに基づき、カメラ付き携帯電話端末３０１との接続が許容された相手端末を特定し（端末特定機能）、カメラ付き携帯電話端末３０１との接続が許容された全ての相手端末（例えば、ネットワークテレビ端末３０３、またはパーソナルコンピュータ３０４）それぞれに対して、各相手端末固有に設定された固有ＩＤの出力を要求するメッセージである、ＩＤ出力要求を通知する出力要求通知機能を備えている。
【００５９】
ここで、接続管理サーバ３０２は、データリストに記載された異なる相手端末それぞれにおける、自己ＩＤの出力データ形式に応じた固有ＩＤ出力要求を生成し、送信する。
例えば、カメラ付き携帯電話端末３０１からのＩＤ出力要求の要求先の相手端末におけるＩＤ出力手段（１０３−１）が画像・映像を出力表示するディスプレイ手段（図６）である場合に、接続管理サーバ３０２は、固有ＩＤ出力要求としての二次元コード６０３を生成し、対応する相手端末に送信する。
【００６０】
また、接続管理サーバ３０２は、カメラ付き携帯電話端末３０１から固有ＩＤが送り込まれた場合に、この固有ＩＤが、ネットワークテレビ端末３０３に対して割り当てたものであるか否かを判別する。
ここで、接続管理サーバ３０２は、通知された固有ＩＤがネットワークテレビ３０３に割当てた固有ＩＤと一致すると判定した場合に、ネットワークテレビ端末３０３に対して、カメラ付き携帯電話端末３０１との接続許可を要求するメッセージ（接続許可要求）と接続の確立に必要な情報を示す接続情報を通知する（接続許可要求通知機能）。
【００６１】
相手端末（ネットワークテレビ端末３０３、または、パーソナルコンピュータ３０４）は、接続管理サーバ３０２から固有ＩＤ出力要求が通知された場合に、相手端末それぞれに予め設定された固有ＩＤの出力を行うＩＤ出力手段を備えている。
例えば、本実施形態におけるネットワークテレビ端末３０３は、図６に示すように、当該ネットワークテレビ端末に予め設定された固有ＩＤがコード化され含まれた二次元画像コード（ＱＲコード）を出力表示する、上記ＩＤ出力手段としての、ディスプレイ手段１０３−２を備えた構成であるものとする。
【００６２】
ここで、ネットワークテレビ端末３０３のディスプレイ手段１０３−２に、テレビ番組６０２、およびネットワークテレビ端末３０３の固有ＩＤとしての二次元コード（ＱＲコード）６０３が表示された場合の一画面例を、図６に示す。
【００６３】
本実施形態２におけるカメラ付き携帯電話端末３０１は、ネットワークテレビ端末３０３で出力表示された二次元コード（ＱＲコード）を撮影する、出力信号取得手段としてのカメラ手段１０１−２を予め備えた構成であるものとする。
これにより、カメラ付き携帯電話端末３０１は、ネットワークテレビ端末３０３のディスプレイ手段１０３−２に表示された二次元コードをカメラ手段１０１−２により撮影し、この撮影して得られた画像を解析することによりネットワークテレビ端末３０３のＩＤを特定すると共にこれを取得する。
【００６４】
また、ネットワークテレビ端末３０３は、接続管理サーバ３０２から送り込まれた、接続許可要求および接続情報を受信した場合に、この接続情報に基づきカメラ付き携帯電話端末３０１との通信接続を確立する通信接続確立制御機能を有する。
これにより、カメラ付き携帯電話端末３０１およびネットワークテレビ端末３０３間における相互通信を行うことが可能となる。
【００６５】
［実施形態２の動作説明］
次に、上記の実施形態２の全体的な動作について説明する。
【００６６】
まず、カメラ付き携帯電話端末（第１の端末に対応）３０１から二次元コード表示要求（通信要求）が送り込まれた場合に、接続管理サーバ（通信中継装置）３０２は、予め設定された他の端末それぞれに対して二次元コードの表示要求を行い（識別情報出力要求工程）、他の端末は上記表示要求に応じて自己の二次元コードを出力する。
次いで、カメラ付き携帯電話端末（第１の端末）３０１は、ネットワークテレビ端末（他の端末）３０３から出力された二次元コード（識別情報）を、予め備えたカメラ部により撮影することにより捕捉し、撮影画像中の二次元コードに基づき通信相手としてのネットワークテレビ端末３０３のＩＤを特定すると共に、このＩＤを含む通信相手指定要求を接続管理サーバ３０２に通知する。
【００６７】
次に、接続管理サーバ３０２は、カメラ付き携帯電話端末３０１から送り込まれた通信相手指定要求に基づいて、通信相手として特定されたネットワークテレビ端末３０３に対して通信開始要求を送信する（通信開始要求工程）。
次いで、ネットワークテレビ端末３０３が、送り込まれた通信開始要求に基づき、携帯電話端末３０１との通信接続を確立する。
【００６８】
ここで、上記識別情報出力要求工程、および通信開始要求工程については、その実行内容をプログラム化し、コンピュータ（接続管理サーバ３０２）に実行させるように構成としてもよい。
【００６９】
次に、本実施形態２の動作について図４のフローチャートに基づき詳説する。
まず、カメラ付き携帯電話端末３０１は携帯電話網３０５を介して接続管理サーバ３０２に接続されており、カメラ付き携帯電話端末３０１は、ユーザからの入力大気状態にあるものとする（開始：ステップＳ４０１）。
【００７０】
ここで、ユーザがカメラ付き携帯電話端末３０１に予め設定された接続ボタンを押下し（ステップＳ４０２）、これにより、カメラ付き携帯電話端末３０１から接続管理サーバ３０２に対して二次元コード表示要求が送信される（ステップＳ４０３）。
【００７１】
次いで、接続管理サーバ３０２は、カメラ付き携帯電話３０１からの接続が許容された通信装置である、ネットワークテレビ端末３０３（接続許可端末番号「ＩＤ５００１」）、およびパーソナルコンピュータ３０４（接続許可端末番号「ＩＤ３１２３」）に対し、通信装置それぞれに対応した（つまり、端末固有の）二次元コード表示要求を生成し、通知する（ステップＳ４０４）。
【００７２】
二次元コード表示要求を受け付けたネットワークテレビ端末３０３とパーソナルコンピュータ３０４は、自己の二次元コードをそれぞれのディスプレイ部に表示する（ステップＳ４０５）。
ここで、「９６０Ａ２３９１ＤＤ」、「１３０５４９ＡＹＴＱ」とする
【００７３】
次いで、カメラ付き携帯電話端末３０１が、通信接続したい通信装置（ここでは、ネットワークテレビ端末３０３とする）のディスプレイ部に表示された二次元コードを、予め備えられたカメラを用いて撮影する（ステップＳ４０６）。
【００７４】
次いで、カメラ付き携帯電話端末３０１の固有ＩＤ解析部３０１−１は、撮影した二次元コードの解析を行う。
ここで、撮影した二次元コード（画像）に埋め込まれた表示用ＩＤ（ここでは「９６０Ａ２３９１ＤＤ」）を判別し、この表示用ＩＤを接続管理サーバ３０２に通知する（ステップＳ４０７：解析＆ＩＤ通知）
【００７５】
接続管理サーバ３０２は、カメラ付き携帯電話端末３０１から送り込まれた表示用ＩＤ「９６０Ａ２３９１ＤＤ」に対応する二次元コードを表示した端末（ここでは、ネットワークテレビ端末３０３）をリストに基づき特定し、特定されたネットワークテレビ端末３０３に対して、カメラ付き携帯電話端末３０１のＩＰアドレスとポート（番号）と共に、接続許可要求を通知する（ステップＳ４０８）。
【００７６】
次いで、接続許可要求を受け付けたネットワークテレビ端末３０３は、通知されたＩＰアドレスとポート（通信用情報）に基づき、カメラ付き携帯電話端末３０１とＴＣＰ／ＩＰで通信接続を行う（Ｓ４０９）。
これにより、カメラ付き携帯電話端末３０１およびネットワークテレビ端末３０３間における通信接続（ここでは、無線通信接続）が確立され、一連の通信呼シーケンスを終了する（ステップＳ４１０）。
【００７７】
尚、ステップＳ４０４における二次元コード表示要求は、接続管理サーバ側で、あらかじめ表示用ＩＤを二次元コードに変換して、ネットワークテレビ端末３０３とパーソナルコンピュータ３０４に通知する設定であってもよい。
また、それぞれの端末には表示用ＩＤを通知して、各端末側で表示用ＩＤから対応する二次元コードを生成して表示する設定であってもよい。
【００７８】
以上のように、本実施形態２では、例えば、異なる複数のテレビやＰＣなどのディスプレイ装置が隣接して設置されていた場合にも、利用者は、カメラ付き携帯電話を利用して、特定のディスプレイ装置に表示された固有ＩＤ（二次元コード）をカメラ撮影することにより、確実に取得することができ、これにより、所望のディスプレイ装置を特定し、このディスプレイ装置とカメラ付き携帯電話間における相互通信を、安全且つ確実に開始することができる。
【００７９】
上述した実施形態については、その新規な技術的内容の要点をまとめると、以下のようになる。
尚、上記の実施形態の一部又は全部は、新規な技術として以下のようにまとめられるが、本発明は必ずしもこれに限定されるものではない。
【００８０】
（付記１）
第１の端末からの通信要求に応じて当該第１の端末と予め登録された他の端末との通信接続確立用の中継通信を行う通信中継装置を備えた通信機器接続システムであって、
前記第１の端末は、
前記他の端末から出力された識別情報を捕捉しこの識別情報に基づき通信相手としての前記他の端末を特定すると共に前記捕捉した識別情報を含む通信相手指定要求を前記通信中継装置に通知する識別情報捕捉通知部を有し、
前記通信中継装置は、
前記第１の端末から前記通信要求が送り込まれた場合に前記他の端末それぞれに対して識別情報の出力要求を行う識別情報出力要求部と、
前記第１の端末から送り込まれた前記通信相手指定要求に基づき前記通信相手として特定された他の端末に対して通信開始要求を送信する通信開始要求送信部とを備え、
前記各他の端末は、
前記通信中継装置からの出力要求に応じて自己の識別情報を出力する識別情報出力部と、
前記通信中継装置から前記通信開始要求送り込まれた場合に当該通信許容要求に基づき前記第１の端末との通信接続を確立する通信接続処理部とを備えたことを特徴とする通信機器接続システム。
【００８１】
（付記２）
付記１に記載の通信機器接続システムにおいて、
前記通信中継装置は、
前記他の端末それぞれに対応した前記識別情報としてのＩＤ情報を生成すると共に、当該ＩＤ情報を前記出力要求として前記各他の端末に送信するＩＤ情報生成送信手段を備え、
前記各他の端末は、
前記通信中継装置から送信されたＩＤ情報を前記識別情報として出力する指定ＩＤ情報出力手段を備えたことを特徴とする通信機器接続システム。
【００８２】
（付記３）
付記１又は２に記載の通信機器接続システムにおいて、
前記各他の端末は、前記自己の識別情報を表示画面に表示することにより出力する前記識別情報出力部としての識別情報表示手段を備え、
前記第１の端末は、前記表示された識別情報を撮影する識別情報撮影部を備えたことを特徴とする通信機器接続システム。
【００８３】
（付記４）
付記１又は２に記載の通信機器接続システムにおいて、
前記各他の端末は、前記自己の識別情報を音声として出力する前記識別情報出力部としての識別情報音声出力手段を備え、
前記第１の端末は、前記各他の端末から出力された音声を収音する識別情報収音部を備えたことを特徴とする通信機器接続システム。
【００８４】
（付記５）
付記２に記載の通信機器接続システムにおいて、
ＩＤ情報生成送信手段は、前記第１の端末からの通信要求毎に前記ＩＤ情報を更新して生成するＩＤ情報更新機能を備えたこと特徴とした通信機器接続システム。
【００８５】
（付記６）
第１の端末からの通信要求に応じて当該第１の端末と予め登録された他の端末に対して通信接続確立用の中継通信を行う通信中継装置を備えた通信機器接続システムにあって、前記第１の端末および他の端末間における相互通信接続を確立する通信機器接続方法において、
前記第１の端末から前記通信要求が送り込まれた場合に、前記通信中継装置が前記他の端末それぞれに対して識別情報の出力要求を行い、
前記各他の端末は、前記出力要求に応じて自己の識別情報を出力し、
前記第１の端末は、前記相手端末から出力された識別情報を捕捉し、この識別情報に基づき通信相手としての前記他の端末を特定すると共に、前記捕捉した識別情報を含む通信相手指定要求を前記通信中継装置に通知し、
前記前記通信中継装置は、前記第１の端末から送り込まれた前記通信相手指定要求に基づき前記通信相手として特定された前記他の端末に対して通信開始要求を送信し、
前記他の端末は、前記通信開始要求に含まれる通信用情報に基づき前記第１の端末との通信接続を確立することを特徴とした通信機器接続方法。
【００８６】
（付記７）
第１の端末からの通信要求に応じて当該第１の端末と予め登録された他の端末との通信接続確立用の中継通信を行う通信中継装置を備えた通信機器接続システムにあって、前記第１の端末および前記他の端末相互間における通信接続を確立するための通信機器接続プログラムにおいて、
前記第１の端末から前記通信要求が送り込まれた場合に前記他の端末それぞれに対して出力要求を送信することにより前記各他の端末における識別情報の出力を要求する識別情報出力要求機能と、
前記各他の端末が出力した前記識別情報を含む通信相手指定要求が前記第１の端末から通知された場合に、前記通信相手指定要求に基づき通信相手として特定された前記他の端末に対して前記第１の端末との通信接続の確立に必要な通信用情報を含む通信開始要求を送信する通信開始要求機能と、
を前記通信中継装置のコンピュータに実現させることを特徴とした通信機器接続プログラム。
【産業上の利用可能性】
【００８７】
本発明は、一定領域内に位置する駐車場おける駐車スペースの空き状況を携帯端末に対してリアルタイムに提供するシステムに対して有効に適用することができる。
【符号の説明】
【００８８】
１０１  第一の端末
１０２  接続管理手段
１０３  他の端末
３０１  カメラ付き携帯電話端末
３０２  接続管理サーバ
３０３  ネットワークテレビ端末
３０４  パーソナルコンピュータ
３０５  携帯電話網
３０６  インターネット網
３０７  携帯電話通信路
３０８  網間接続通信路
３０９  イーサネット通信路（イーサネットは登録商標）
３１０、３１１  イーサネット通信路
【図１】
0005516279.tif 000002
【図２】
0005516279.tif 000003
【図３】
0005516279.tif 000004
【図４】
0005516279.tif 000005
【図５】
0005516279.tif 000006
【図６】
0005516279.tif 000007